(57)【特許請求の範囲】
【請求項１】
Ｒ、Ｇ、Ｂ信号を入力し、テレビジョン信号をテレビジョン受信機へ出力するカラーエンコーダにおいて、垂直帰線消去期間におけるクローズドキャプション信号を入力し出力する場合と、前記垂直帰線消去期間全体をブランキングしてクローズドキャプション信号を出力しない場合とを外部から与えられるセレクト信号によって選択することを特徴とするカラーエンコーダ。
【請求項２】
Ｒ、Ｇ、Ｂ信号の入力路に設けたスイッチと、垂直帰線消去期間が開始してからの経過時間をカウントするカウンタとを有し、前記クローズドキャプション信号を出力する場合は、垂直帰線消去期間の前記クローズドキャプション信号の存する部分を除く一部において前記スイッチをＯＦＦし、クローズドキャプション信号を出力しない場合は前記スイッチを垂直帰線消去期間の全てにおいてＯＦＦにすることを特徴とする請求項１に記載のカラーエンコーダ。
【発明の詳細な説明】
【０００１】
【発明の属する技術分野】
本発明は、ＶＩＤＥＯ−ＣＤ、ＣＤ−Ｇなどの画像再生装置におけるテレビ受信機とのインターフェースであるカラーエンコーダに関するものである。
【０００２】
【従来の技術】
カラーエンコーダはＲ、Ｇ、Ｂ信号を入力してテレビジョン信号を出力するが、そのテレビジョン信号には、垂直走査の際に生じる不要な走査線（垂直帰線）を消去するために垂直帰線消去期間が設けられている。この垂直帰線消去期間は、図４に示すように、２１Ｈ（１Ｈは水平走査期間）であり、最初の９Ｈの区間は、６つの上向きのパルス（切り込みパルス）からなる垂直同期期間３Ｈと、その直前と直後にそれぞれ６つの下向きのパルス（等化パルス）からなる等化期間３Ｈとを設けて構成されており、テレビ受信機の水平及び垂直同期を安定に保つ役目を果たしている。そして、残りの１２Ｈの区間については、水平同期信号とカラーバースト信号（カラー同期信号）とから構成されている。これに伴って、カラーエンコーダにおいては、垂直帰線消去期間では、入力であるＲ、Ｇ、Ｂ信号をブランキング（遮断）するようにしている。
【０００３】
【発明が解決しようとする課題】
近年、垂直帰線消去期間を有効に活用する画像データ伝送方式が提案されており、それによれば、垂直帰線消去期間の例えば第１４Ｈ〜第１６Ｈ区間及び第２１Ｈ区間に各種テスト信号や文字情報の信号（以下、クローズドキャプション信号と表現する）を重畳するように、それらの信号をＲ、Ｇ、Ｂ信号として伝送している。
【０００４】
しかしながら、上記カラーエンコーダでは、垂直帰線消去期間では必ずＲ、Ｇ、Ｂ信号をブランキングするので、垂直帰線消去期間において前記テスト信号やクローズドキャプション信号が伝送されていても、それをテレビ受信機へ出力することはできず、テレビ受信機でクローズドキャプション信号を再生することができない。
【０００５】
そこで、テレビ受信機でクローズドキャプション信号を再生できるようにしたカラーエンコーダが提供されており、そのカラーエンコーダにおいては、前述の例を用いると、垂直帰線消去期間の第１４Ｈ区間〜第１６Ｈ区間及び第２１Ｈ区間ではＲ、Ｇ、Ｂ信号をブランキングしないようにしている。
【０００６】
このようなカラーエンコーダにおいては、必ず垂直帰線消去期間の一部ではＲ、Ｇ、Ｂ信号を入力するので、その入力がテスト信号などのクローズドキャプション信号以外の信号である場合は、それらの信号がテレビ受信機に出力され、テレビ受信機側で誤作動を起こしてしまう可能性がある。
【０００７】
そこで、本発明は、テレビ受信機でのクローズドキャプション信号の再生を可能にするとともに、クローズドキャプション信号以外の信号が伝送されたことによるテレビ受信機の誤作動を防止することができるカラーエンコーダを提供することを目的とする。
【０００８】
【課題を解決するための手段】
上記の目的を達成するため、本発明のカラーエンコーダでは、Ｒ、Ｇ、Ｂ信号を入力し、テレビジョン信号をテレビジョン受信機へ出力するカラーエンコーダにおいて、垂直帰線消去期間におけるクローズドキャプション信号を入力し出力する場合と、前記垂直帰線消去期間全体をブランキングしてクローズドキャプション信号を出力しない場合とを外部から与えられるセレクト信号によって選択するようにしている。
【０００９】
この場合、Ｒ、Ｇ、Ｂ信号の入力路にスイッチを設けるとともに、垂直帰線消去期間が開始してからの経過時間をカウントするカウンタを設け、クローズドキャプション信号を出力する場合は、垂直帰線消去期間の前記クローズドキャプション信号の存する部分を除く一部において前記スイッチをＯＦＦし、クローズドキャプション信号を出力しない場合は前記スイッチを垂直帰線消去期間の全てにおいてＯＦＦにするとよい。
【００１０】
このようにして、垂直帰線消去期間においてカラー映像信号をブランキングする期間を変化させることができるので、例えば、クローズドキャプション信号が伝送される場合はブランキング期間を９Ｈとする、つまり垂直帰線消去期間の第９Ｈ区間の終わりまでＲ、Ｇ、Ｂ信号の入力を遮断し、残りの垂直帰線消去期間ではＲ、Ｇ、Ｂ信号を入力することによって、クローズドキャプション信号をテレビ受信機へ出力することができ、一方、クローズドキャプション信号以外の信号が伝送される場合はブランキング期間を２１Ｈとする、つまり垂直帰線消去期間の全区間でＲ、Ｇ、Ｂ信号の入力を遮断することによって、クローズドキャプション信号以外の信号はテレビ受信機へ出力されない。
【００１１】
【発明の実施の形態】
以下に、本発明の実施形態を図面を参照しながら説明する。図１は本発明の一実施形態であるカラーエンコーダのブロック図であって、１はエンコーダ部、２はＤ／Ａ変換回路、３はカウンタ、４はスイッチ回路である。１ａ、１ｂ、１ｃは入力端子であり、例えば画像データを圧縮して出力するＭＰＥＧコアチップに接続され、その出力であるＲ、Ｇ、Ｂ信号を入力する。２ａは出力端子であり、テレビジョン信号を出力する。３ａ、３ｂ、３ｃはそれぞれリセットパルスＰ１、クロック信号ＣＬＫ、セレクト信号Ｓをカウンタ３が入力する入力端子である。
【００１２】
エンコーダ部１において、１０１ａ、１０１ｂ、１０１ｃはラッチ回路であり、入力したＲ、Ｇ、Ｂ信号をラッチし、出力する。１０２はＲ、Ｇ、Ｂ信号に基づいて輝度信号Ｙを形成する輝度信号形成回路である。
【００１３】
１０３はＲ、Ｇ、Ｂ信号に基づいてＲ−Ｙ信号、Ｂ−Ｙ信号を形成する色差信号形成回路であり、その出力は変調回路１０４でカラーキャリア発生回路１０５から与えられたカラーキャリアを変調して変調信号となり、次の加算器１０６でカラーキャリアがカラーバースト位置にカラーバースト信号として挿入され、クロマ信号Ｃとなる。
【００１４】
１０７は輝度信号Ｙとクロマ信号Ｃを加算してカラー映像信号ＶＢを出力する加算器である。１０８はカラー映像信号ＶＢと同期信号発生回路１０９が形成する水平・垂直同期信号、水平・垂直帰線信号の複合同期信号ＳＹＮＣとを加算してテレビジョン信号を出力する加算器である。
【００１５】
Ｄ／Ａ変換回路２は入力するデジタルのテレビジョン信号をアナログのテレビジョン信号に変換して出力する。２ａはＤ／Ａ変換回路２の出力を受ける出力端子であり、必要に応じてテレビ受信機に接続される。
【００１６】
カウンタ３は、図２に示すように、垂直帰線消去期間の開始と同時に端子３ａに与えられるリセットパルスＰ１が印加されるフリップフロップ２１と、このフリップフロップ２１の出力がハイレベルのとき動作する計数部２２と、計数部２２のカウント値が垂直帰線消去期間の第２１Ｈ区間の終わりに対応する値になった時点でパルスＰ２を発生する第１デコーダ２３と、同じく計数部２２のカウント値が垂直帰線消去期間の第９Ｈ区間の終わりに対応する値になった時点でパルスＰ３を発生する第２デコーダ２４と、スイッチ２５とから成っている。
【００１７】
尚、端子３ｃに与えられるセレクト信号Ｓによってスイッチ２５が切り換えられて、第１デコーダ２３と第２デコーダ２４は択一的に選択され、一方のみが動作可能となる。
【００１８】
今、セレクト信号Ｓによって第１デコーダ２３が選択されているとする。ここで、リセットパルスＰ１を入力すると、フリップフロップ２１の出力は、図３の（ニ）に示すように、ハイレベルになり、それによって計数部２２が端子３ｂから与えられるクロック信号ＣＬＫのカウントを開始する。このカウント値が第２１Ｈ区間の終わりに対応する値になると、図３の（ロ）に示すように、第１デコーダ２３からパルスＰ２が発生する。パルスＰ２はフリップフロップ２１に与えられ、フリップフロップ２１を反転する。その結果、図３の（ニ）に示すように、フリップフロップ２１の出力はローレベルになる。
【００１９】
従って、このようにセレクト信号Ｓによって第１デコーダ２３が選択されているモードでは、フリップフロップ２１の出力は第１Ｈから第２１Ｈの区間だけハイレベルになり、図１においてスイッチ回路４を構成するスイッチＳＷ１、ＳＷ２、ＳＷ３がＯＦＦされ、Ｒ、Ｇ、Ｂ信号は、第１Ｈから第２１Ｈの区間だけ、つまり垂直帰線消去期間の全てで遮断されることになる。
【００２０】
次に、セレクト信号Ｓによって第２デコーダ２４が選択されている場合は、リセットパルスＰ１を入力すると、フリップフロップ２１の出力は、図３（ホ）に示すように、ハイレベルになり、それによって計数部２２が端子３ｂから与えられるクロック信号ＣＬＫのカウントを開始する。このカウント値が第９Ｈ区間の終わりに対応する値になると、図３の（ハ）に示すように、第２デコーダ２４からパルスＰ３が発生する。パルスＰ３はフリップフロップ２１に与えられ、フリップフロップ２１を反転する。その結果、図３の（ホ）に示すように、フリップフロップ２１の出力はローレベルになる。
【００２１】
従って、このようにセレクト信号Ｓによって第２デコーダ２４が選択されているモードでは、フリップフロップ２１の出力は第１Ｈから第９Ｈの区間だけハイレベルになり、図１においてスイッチ回路４を構成するスイッチＳＷ１、ＳＷ２、ＳＷ３がＯＦＦされ、Ｒ、Ｇ、Ｂ信号は、第１Ｈから第９Ｈの区間だけ遮断されることになる。
【００２２】
【発明の効果】
以上説明したように、本発明のカラーエンコーダによれば、垂直帰線消去期間においてカラー映像信号をブランキングする期間を変化させることができるので、垂直帰線消去期間に伝送される信号に応じてそれを行えば、テレビ受信機でのクローズドキャプション信号の再生を可能にするとともに、クローズドキャプション信号以外の信号が伝送されたことによるテレビ受信機の誤作動を防止することができる。
【図面の簡単な説明】
【図１】  本発明の一実施形態であるカラーエンコーダのブロック図。
【図２】  図１におけるカウンタ３の構成を示す図。
【図３】  図２において、フリップフロップ２１が入力するパルスＰ１（イ）と、第１デコーダ２２が発生するパルスＰ２（ロ）と、第２デコーダ２３が発生するパルスＰ３（ハ）と、フリップフロップ２１の出力（ニ）（ホ）との関係を示す図。
【図４】  垂直帰線消去期間のテレビジョン信号を示す図。
【符号の説明】
１  エンコーダ部
２  Ｄ／Ａ変換回路
３  カウンタ
４  スイッチ回路
１ａ、１ｂ、１ｃ  Ｒ、Ｇ、Ｂ信号入力端子
２ａ  テレビジョン信号出力端子
３ａ  リセットパルス入力端子
３ｂ  クロック信号入力端子
３ｃ  セレクト信号入力端子
２１  フリップフロップ
２２  計数部
２３  第１デコーダ
２４  第２デコーダ
２５  スイッチ
１０１ａ、１０１ｂ、１０１ｃ  ラッチ回路
１０２  輝度信号形成回路
１０３  色差信号形成回路
１０４  変調回路
１０５  カラーキャリア発生回路
１０６、１０７、１０８  加算器
１０９  同期信号発生回路
ＳＷ１、ＳＷ２、ＳＷ３  スイッチ
【図１】
0003734306.tif 000002
【図２】
0003734306.tif 000003
【図３】
0003734306.tif 000004
【図４】
0003734306.tif 000005